(57)【要約】【課題】押し釦等の押し引き操作部材が非使用時に誤って動かされないように押し引き操作部材を規制する操作及びこの規制を解除する操作が容易な携帯機器を提供する。【解決手段】腕時計（携帯機器）１１において、押し釦（押し引き操作部材）２７は係合部３０を有し、この押し釦２７を時計外装体（機器外装体）１２に取付ける。時計外装体１２にロック部材５１及び板ばね（付勢部材）５５を配置する。ロック部材５１は、係合部３０との係合により押し釦２７を所定位置に保持するロック位置と押し釦２７の操作を許すロック解除位置にわたって移動可能である。板ばね５５によりロック部材５１をロック解除位置に向けて付勢する。時計外装体１２に取付けられた文字板（表示部）１４を囲む円形の操作リング６１を時計外装体１２にその正面側から回転操作可能に取付ける。この操作リング６１の回転操作にロック位置とロック解除位置にわたるロック部材５１の動きを連動させたことを特徴としている。【選択図】      図２
2010127682.tif 000002
【特許請求の範囲】
【請求項１】
係合部を有した押し引き操作部材を機器外装体に取付けるとともに、前記係合部との係合により前記押し引き操作部材を所定位置に規制するロック位置と前記押し引き操作部材の操作を許すロック解除位置にわたって動かされるロック部材、及びこのロック部材を前記ロック解除位置に向けて付勢する付勢部材を前記機器外装体に配置し、前記機器外装体に取付けられた表示部を囲む円形の操作リングを前記機器外装体にその正面側から回転操作可能に取付け、この操作リングの回転操作に前記ロック位置と前記ロック解除位置にわたる前記ロック部材の動きを連動させたことを特徴とする携帯機器。
【請求項２】
貫通孔並びにこの貫通孔に交差する収納穴が夫々形成された機器外装体と、
この機器外装体に取付けられた表示部と、
前記貫通孔に挿入して前記機器外装体に固定されたパイプと、
このパイプ内に摺動可能に挿入された軸部、この軸部の一端部に設けられて前記貫通孔に挿入された操作ヘッド、及びこの操作ヘッドに形成された係合部を有する押し引き操作部材と、
前記表示部を囲む大きさに形成されているとともに、前記収納穴に対向可能なロック面及びこのロック面に開放するロック解除凹部を有して、前記機器外装体にこの外装体の正面側から回転操作可能に取付けられた円形の操作リングと、
前記操作ヘッドが挿入される通し部及び前記係合部が係合可能なストッパ部を有し、このストッパ部に前記係合部が係合されるロック位置と、前記ストッパ部が前記係合部から離れたロック解除位置とにわたって前記収納穴に移動可能に収納されたロック部材と、
前記収納穴内に配置されて前記ロック部材を前記操作リングに向けて付勢する付勢部材と、
を具備したことを特徴とする携帯機器。
【請求項３】
前記押し引き操作部材が押し釦であって、この押し釦の押し込み操作が前記ロック位置に配置された前記ロック部材により妨げられることを特徴とする請求項１又は２に記載の携帯機器。
【請求項４】
前記押し釦の操作ヘッドの正面形状が非円形であることを特徴とする請求項３に記載の携帯機器。
【請求項５】
前記ロック部材が前記ロック位置に配置された状態で、前記操作リングを仮保持するクリックストップ機構を備えたことを特徴とする請求項１から４の内のいずれか一項に記載の携帯機器。
【請求項６】
請求項１から５の内のいずれか一項に記載の携帯機器で形成されたことを特徴とする携帯時計。
【請求項７】
請求項１から５の内のいずれか一項に記載の携帯機器で形成された携帯時計であって、この携帯時計の竜頭が前記押し引き操作部材であるとともに、この竜頭の引出し操作が前記ロック位置に配置された前記ロック部材により妨げられることを特徴とする携帯時計。
【発明の詳細な説明】
【技術分野】
【０００１】
本発明は、押し釦や竜頭等のような押し引き操作部材を、その非使用時に誤って押し引き方向に動かされないように規制できる構成を備えた携帯機器及び携帯時計に関する。
【背景技術】
【０００２】
腕時計や懐中時計などの携帯時計、ストップウオッチ、携帯電話、携帯型情報端末機などの携帯機器の中には、例えば機器外装体内の接点等を動作させる押し釦を機器外装体に取付けたものがある。押し釦が押圧されることによって、例えばクォーツ式携帯時計では、時計表示をアナログ表示からデジタル表示に切換えたり、デジタル表示された日付や曜日を修正したりできるようになっている。
【０００３】
従来、この種の携帯機器例えば腕時計では、押し釦が誤って押し込み操作されることを防止するために、円筒からなるロック部材の内周に形成した雌ねじ部を、機器外装体が備える胴に取付けられたパイプの外周に形成した雄ねじ部に螺合させて、これらねじ部の螺合位置の変化によりロック部材をロック位置とロック待機位置とにわたって移動可能に設けている。又、円筒からなるロック部材の回転操作の支障とならないように、前記パイプに挿入された押し釦の正面形状は円形となっている。
【０００４】
ロック部材がロック待機位置に配置された状態で、ロック部材の規制部がパイプを貫通した押し釦の頭部から離れるため、その離れた距離に相当するストロークで押し釦の押し込み操作が許容される。この逆に、ロック部材がロック位置に配置された状態では、規制部が押し釦の頭部に接した状態となるため、押し釦の押し込みが規制される。
【特許文献１】特開2003−7164号公報（段落0002−0006、段落0026−0038、図１−図３）
【発明の開示】
【発明が解決しようとする課題】
【０００５】
特許文献１の技術で、ロック部材は押し釦に見合った径を有する円筒からなるが、このロック部材は例えば機器外装体の厚み以下と小径である。このため、機器外装体の側方らロック部材を掴み難く、このロック部材を回転操作する際の作業性が悪い。特に、腕時計として実施した場合に、この腕時計が人体の腕に装着された状態ではロック部材を操作し難い。
【０００６】
本発明の目的は、押し釦等の押し引き操作部材が非使用時に誤って動かされないように押し引き操作部材を規制する操作及びこの規制を解除する操作が容易な携帯機器及び携帯時計を提供することにある。
【課題を解決するための手段】
【０００７】
本発明の携帯機器は、係合部を有した押し引き操作部材を機器外装体に取付けるとともに、前記係合部との係合により前記押し引き操作部材を所定位置に規制するロック位置と前記押し引き操作部材の操作を許すロック解除位置にわたって動かされるロック部材、及びこのロック部材を前記ロック解除位置に向けて付勢する付勢部材を前記機器外装体に配置し、前記機器外装体に取付けられた表示部を囲む円形の操作リングを前記機器外装体にその正面側から回転操作可能に取付け、この操作リングの回転操作に前記ロック位置と前記ロック解除位置にわたる前記ロック部材の動きを連動させたことを特徴としている。
【０００８】
本発明で、押し引き操作部材とは、軸方向に沿って押し込み操作される押し釦、又は軸方向に沿って引き出しされた状態で回転操作される時計の竜頭等を指している。本発明で、所定位置とは、押し引き操作部材が押し釦である場合、この押し釦が押し込み可能な待機状態に配置された位置を指しており、押し引き操作部材が竜頭である場合に、この竜頭が引き出し可能な待機状態に配置された位置を指している。これとともに、前記所定位置に配置された押し引き操作部材は非使用状態にある。
【０００９】
本発明で、機器外装体とは、携帯機器の駆動部品が収容される外装ケースを指しており、携帯機器が例えば腕時計や懐中時計等の携帯時計である場合には、時計ムーブメントなどの駆動部品が収容される外装ケースを指している。本発明で、表示部は、時刻表示に限らず各種の情報を静止画や動画などの画像として表示するものでもよいとともに、この表示部は円形であることが好ましいがそうでなくても良い。
【００１０】
本発明で、操作リングは、その少なくとも周部がこれに使用者の手指が掛けられるように露出して設けてあればよい。操作リングの表面全体を露出させる場合には、この表面に、回転操作の指標となる表示を大きく設けることができるとともに、回転操作用の引っ掛かり部を更に必要により設けることも可能である点で好ましい。
【００１１】
本発明で、ロック部材を付勢する付勢部材には、板ばねやコイルばね等のばね部品を好適に用いることができるが、それ以外の弾性変形が可能な材料で作ることもできる。又、ロック部材がばね性を有する金属である場合、このロック部材から切起こして、その切起こし片を付勢部材として用いることも可能である。
【００１２】
本発明では、機器外装体に回転操作可能に取付けられた円形の操作リングを、機器外装体の正面側から回転操作することによって、これに連動させて、付勢部材で付勢されたロック部材をロック位置又はロック解除位置に配置できる。ロック位置に配置されたロック部材は押し引き操作部材の係合部に係合可能であるから、この係合により押し引き操作部材が所定位置から動かないように規制されて、押し引き操作部材の誤操作が防止される。ロック解除位置に配置されたロック部材は押し引き操作部材の係合部から外れているので、この状態で押し引き操作部材を軸方向に押し込み操作又は引き出し操作することにより、この押し引き操作部材を所定位置から移動させることができる。
【００１３】
操作リングは、機器外装体に取付けられた表示を囲んでいるので、押し引き操作部材に比較してはるかに大きく、そのため、この操作リングを容易に掴んで回転操作できる。これとともに、操作リングは機器外装体の正面側から操作されるので、例えば腕時計での実施においてこの腕時計が人体の腕に装着されていても、腕が邪魔になり難い。したがって、押し釦等の押し引き操作部材が非使用時に誤って動かされないように押し引き操作部材を規制する操作及びこの規制を解除する操作を容易にできる。
【００１４】
又、本発明の携帯機器は、貫通孔並びにこの貫通孔に交差する収納穴が夫々形成された機器外装体と、この機器外装体に取付けられた表示部と、前記貫通孔に挿入して前記機器外装体に固定されたパイプと、このパイプ内に摺動可能に挿入された軸部、この軸部の一端部に設けられて前記貫通孔に挿入された操作ヘッド、及びこの操作ヘッドに形成された係合部を有する押し引き操作部材と、前記表示部を囲む大きさに形成されているとともに、前記収納穴に対向可能なロック面及びこのロック面に開放するロック解除凹部を有して、前記機器外装体にこの外装体の正面側から回転操作可能に取付けられた円形の操作リングと、前記操作ヘッドが挿入される通し部及び前記係合部が係合可能なストッパ部を有し、このストッパ部に前記係合部が係合されるロック位置と、前記ストッパ部が前記係合部から離れたロック解除位置とにわたって前記収納穴に移動可能に収納されたロック部材と、前記収納穴内に配置されて前記ロック部材を前記操作リングに向けて付勢する付勢部材と、を具備したことを特徴としている。
【００１５】
本発明で、押し釦等の押し引き操作部材の操作ヘッドは軸部と一体でも別体で軸部に連結されたものであっても良い。
【００１６】
本発明では、機器外装体に回転操作可能に取付けられた円形の操作リングを、機器外装体の正面側から回転操作することによって、これに連動させて、付勢部材で操作リングに向けて付勢されたロック部材をロック位置又はロック解除位置に配置できる。
【００１７】
即ち、回転操作された操作リングのロック面がロック部材に接した状態では、ロック部材は付勢部材の付勢力に抗してロック位置に配置される。ロック位置に配置されたロック部材のストッパ部には押し引き操作部材の係合部が係合可能であるから、この係合により押し引き操作部材が所定位置から動かないように規制されて、押し引き操作部材の誤操作が防止される。又、回転操作された操作リングのロック面がロック部材から外れるとともにロック解除凹部がロック部材に対向した状態では、ロック部材は付勢部材の付勢力によってロック解除凹部に入り込み、ロック解除位置に配置される。それにより、ロック部材のストッパ部が押し引き操作部材の係合部から外れるので、この状態でロック部材の通し部に通されている押し引き操作部材を軸方向に操作することにより、この押し引き操作部材を所定位置から移動させることができる。
【００１８】
操作リングは、機器外装体に取付けられた表示を囲んでいるので、押し引き操作部材に比較してはるかに大きい。そのため、この操作リングを容易に掴んで回転操作できる。これとともに、操作リングは機器外装体の正面側から操作されるので、例えば腕時計での実施においてこの腕時計が人体の腕に装着されていても、腕が邪魔になり難い。したがって、押し釦等の押し引き操作部材が非使用時に誤って動かされないように押し引き操作部材を規制する操作及びこの規制を解除する操作を容易にできる。
【００１９】
本発明の携帯機器の好ましい形態では、前記押し引き操作部材が押し釦であって、この押し釦の押し込み操作が前記ロック位置に配置された前記ロック部材により妨げられることを特徴としている。
【００２０】
この発明の形態では、押し釦が非使用時に誤って動かされないように押し釦を規制する操作及びこの規制を解除する操作が容易な携帯機器を提供できる。更に、この押し釦は操作リングとは別の位置に配置されていてこの操作リングの回転を拘束するものではないので、押し釦の正面形状が、円形に限られることはなく、この正面形状を携帯機器のデザインに応じて非円形を含めた任意形状にすることができる点で好ましい。
【００２１】
本発明の携帯機器の好ましい形態では、前記押し釦の操作ヘッドの正面形状が非円形であることを特徴としている。
【００２２】
この発明の形態では、押し釦の操作ヘッドの正面形状が非円形であるにも係わらず、この押し釦が非使用時に誤って動かされないように規制することが可能な携帯機器を提供できる。
【００２３】
本発明の携帯機器の好ましい形態では、前記ロック部材が前記ロック位置に配置された状態で、前記操作リングを仮保持するクリックストップ機構を備えたことを特徴としている。
【００２４】
この発明の形態では、操作リングの回転操作に伴いロック部材がロック位置に配置された状態において、クリックストップ機構がクリックストップ動作をして操作リングを仮保持できる。これとともに、クリックストップ動作による節度の感触及びこの節度に伴い発生する音により、使用者にロック部材がロック位置に配置されたことを報知できる点で好ましい。
【００２５】
又、本発明の携帯時計は、前記各発明の携帯機器で形成されていることを特徴としている。
【００２６】
この発明の携帯時計は、前記各発明の携帯機器で形成されているので、押し釦が非使用時に誤って動かされないように押し釦を規制する操作及びこの規制を解除する操作が容易である。
【００２７】
本発明の携帯機器の好ましい形態では、前記各発明の携帯機器で形成された携帯時計であって、この携帯時計の竜頭が前記押し引き操作部材であるとともに、この竜頭の引出し操作が前記ロック位置に配置された前記ロック部材により妨げられることを特徴としている。
【００２８】
この発明の形態では、操作リングが、機器外装体に取付けられた表示を囲んでいるので、竜頭に比較してはるかに大きい。このため、この操作リングを容易に掴んで回転操作できる。これとともに、操作リングは機器外装体の正面側から操作されるので、腕時計が人体の腕に装着されていても、腕が邪魔になり難い。したがって、竜頭が非使用時に誤って引き出されないように竜頭を規制する操作及びこの規制を解除する操作を容易にできる。
【発明の効果】
【００２９】
本発明によれば、押し釦等の押し引き操作部材が非使用時に誤って動かされないように押し引き操作部材を規制する操作及びこの規制を解除する操作が容易な携帯機器及び携帯時計を提供できる。
【発明を実施するための最良の形態】
【００３０】
本発明の第１実施形態を図１〜図８を参照して説明する。
【００３１】
図１〜図３中符号１１は携帯機器例えば携帯時計具体的には腕時計を示している。機器外装体をなす腕時計１１の時計外装体１２には、内蔵部品例えば時計ムーブメント１３が内蔵されているとともに、表示部例えば円形の文字板１４が取付けられている。文字板１４の表示は、時計ムーブメント１３で駆動される時針・分針・秒針などの時刻表示針１５により指し示される。
【００３２】
時計ムーブメント１３は板ばね等からなる接点１６（図２及び図３参照）を有している。この接点１６が後述の押し釦で押されることによって、時計ムーブメント１３の機能の切換えがなされる。
【００３３】
時計外装体１２は、ステンレス鋼やチタンなどの金属により環状に作られた外装体本体をなす胴２１の厚み方向の一面に、文字板１４を透視させるガラス２２を液密に装着するとともに、胴２１の厚み方向の他面に、金属や合成樹脂等で作られた裏蓋２３を液密に装着して形成されている。
【００３４】
図２及び図３に示すように胴２１は、その正面部（上面部）に環状凸部２５とリング配置溝２６を有している。環状凸部２５は円形であり、その内周にガラス２２が装着されている。リング配置溝２６は環状凸部２５を囲んで設けられていて、胴２１の上方及び側方に開放している。このリング配置溝２６の底面２６ａは水平面で作られている。
【００３５】
胴２１には、押し引き操作部材例えば竜頭８１（図１及び図６参照）が取付けられているとともに、他の押し引き操作部材例えば押し釦２７が取付けられている。押し釦２７は例えば竜頭８１に対して１２時側及び６時側にずれて夫々設けられている。これら押し釦２７の構成及び胴２１への取付けの構成は同じであるので、その内の一方について図２及び図３等を参照して以下説明する。
【００３６】
胴２１には、この胴２１を半径方向に貫通した貫通孔３５が、環状凸部２５及びリング配置溝２６よりも胴２１の裏側にずれて設けられている。貫通孔３５はパイプ取付け孔部３５ａとこれに連続したヘッド挿入孔部３５ｂを有している。
【００３７】
パイプ取付け孔部３５ａは円形の孔からなり、その一端は、胴２１の内部、つまり、時計外装体１２の内部に開口されている。パイプ取付け孔部３５ａの他端はヘッド挿入孔部３５ｂに開口されている。ヘッド挿入孔部３５ｂは、パイプ取付け孔部３５ａの径より大きく、例えば四角い孔で形成されている。このヘッド挿入孔部３５ｂは胴外面（外装体外面）２１ａに開口されている。
【００３８】
胴２１に収納穴３７が形成されている。収納穴３７はヘッド挿入孔部３５ｂと交差例えば直交して設けられている。図６に示すように収納穴３７は幅が狭い四角な穴からなる。この収納穴３７の一端（下端）は閉じられ、収納穴３７の他端（上端）は開放されている。即ち、図６等に示すように収納穴３７の上端はリング配置溝２６の底面２６ａに開放されている。
【００３９】
軸方向と直交する方向の断面が丸のパイプ４１が胴２１に固定されている。パイプ４１は金属好適にはステンレス鋼等で作られている。パイプ４１は、小径部と大径部を有した段付きに形成されている。
【００４０】
パイプ４１は、その小径部を貫通孔３５のパイプ取付け孔部３５ａにヘッド挿入孔部３５ｂ側から圧入して胴２１に固定されている。この固定は、金属製ろう材を用いたろう付け接合でなされている。ろう材はパイプ４１と胴２１との間の防水を担っている。以上のように胴２１に固定されたパイプ４１の大径部はヘッド挿入孔部３５ｂ内に突出されている。
【００４１】
図３及び図４に示すように押し釦２７は、金属又は合成樹脂により作られていて、軸部２８と、操作ヘッド２９と、係合部３０を有している。胴２１内に突出された軸部２８の先端（一端）は、押し釦２７が胴外側から押込まれることにより、前記接点１６を押して移動（図３中二点鎖線参照）させるようになっている。
【００４２】
軸部２８の軸方向と直交する方向の断面は円形である。操作ヘッド２９は軸部２８の他端に一体に形成されている。この操作ヘッド２９は、前記ヘッド挿入孔部３５ｂの形状に見合った形状に作られていて、その形状は軸部２８より大きい非円形であって、本実施形態では略四角形状をなしている。係合部３０は例えば操作ヘッド２９の裏面で形成されている。なお、符合２９ａは軸部２８の他端部を囲んで操作ヘッド２９の裏面から一体に突設された円筒部を示している。
【００４３】
押し釦２７の軸部２８はパイプ４１に胴外側から挿入され、胴２１内部側に位置された操作ヘッド２９の一端部はヘッド挿入孔部３５ｂに挿入されている。図２及び図３中符号４３は軸部２８に装着された防水用のシールリングを示しており、このシールリング４３は弾性変形をした状態でパイプ４１の内面に摺動可能に密接されている。図２及び図３に示すように軸部２８の先端部に、押し釦２７の軸方向移動に伴いパイプ４１の小径部先端に接離する抜け止め部材例えば止め輪４４が装着されている。
【００４４】
円筒部２９ａにより操作ヘッド２９の裏面から隔離して配置されるコイルばね４５が、軸部２８を巻装してパイプ４１の大径部と操作ヘッド２９の裏面との間に挟まれている。このコイルばね４５は押し釦２７を胴外側方向に付勢しており、この付勢による押し釦２７の抜け止めを止め輪４４が担っている。押し釦２７が止め輪４４で位置決めされた状態では、胴２１の外部側に位置された操作ヘッド２９の他端部が押し込み可能に胴外面２１ａから突出されている。これとともに、同状態では、操作ヘッド２９の円筒部２９ａが前記収納穴３７を貫通し、かつ、軸部２８の先端が接点１６から離されている。
【００４５】
腕時計１１の携帯時等に胴２１内へ押し釦２７が不用意に押込まれることを妨げるためのロック部材５１が、胴２１の収納穴３７に、この収納穴３７をガイドとして時計外装体１２の厚み方向に移動可能に収納されている。
【００４６】
ロック部材５１はその中央部に四角い通孔からなる通し部５２を有している。通し部５２は押し釦２７の操作ヘッド２９を正面又は裏面から見た形状と相似形でかつ一回り大きく形成されている。なお、通し部５２はロック部材５１の周縁に開放されていてもよい。この通し部５２に操作ヘッド２９が通されている。
【００４７】
図４及び図５に示すようにロック部材５１の一端部（上端部）の縁５１ａは略山形状に湾曲されている。したがって、ロック部材５１の外形形状は、図４及び図５に示すように将棋の駒のような略五角形状をなしている。ロック部材５１はその縁５１ａを収納穴３７の開放端側に位置させて収納穴３７に摺動可能に納められている。
【００４８】
ロック部材５１の縁５１ａと通し部５２との間の部位、つまり、前記一端部はストッパ部５１ｂとして用いられている。ストッパ部５１ｂには押し釦２７の係合部３０が係合可能である。
【００４９】
収納穴３７の底部に付勢部材例えば板ばね５５が収納されている。板ばね５５は通し部５２を境にストッパ部５１ｂとは反対側に位置されている。この板ばね５５によってロック部材５１が収納穴３７の開放された端から突出する方向、言い換えれば、後述する操作リング６１の裏面に向けて付勢されている。板ばね５５はロック部材５１に連結されていても、いなくても良い。
【００５０】
時計外装体１２のリング配置溝２６に円形の操作リング６１が回転可能に配置されている。なお、操作リング６１は図示のように切れ目なく連続するリングであることが好ましいが、一つの切れ目を有していても良い。図２及び図３中符号２１ｂは環状凸部２５の外周面に一体に形成された環状係止突起を示しており、この環状係止突起２１ｂに操作リング６１の内周面が引っ掛かって、操作リング６１が外れ止めされている。そのため、操作リング６１は文字板１４を囲んだ環状凸部２５の外周に回転可能に嵌合して胴２１に取付けられている。
【００５１】
操作リング６１の表面（上面）及び周面は露出している。図１中符合６１ａ，６１ｂは操作リング６１に複数形成された指掛け部を示しており、これら指掛け部６１ａ，６１ｂは例えば凹部からなるとともに操作リング６１の周部に設けられている。
【００５２】
操作リング６１の露出された表面に、図１に示すように第１の表示６２と第２の表示６３が設けられている。第１の表示６２と第２の表示６３は操作リング６１の径方向に対応して設けられて、第１の表示６２は「ＬＯＣＫ」という文字列からなり、第２の表示６３は「ＵＮＬＯＣＫ」という文字列からなる。これら第１の表示６２と第２の表示６３は、例えば竜頭８１を目印としてこれに合わされるようになっているが、目印は竜頭８１とは別に胴２１に設けても良い。
【００５３】
図８に示すように操作リング６１はロック面６１ｃ及びロック解除凹部６４を有している。ロック面６１ｃはリング配置溝２６の底面２６ａに接する操作リング６１の裏面で形成されている。ロック解除凹部６４はロック面６１ｃに開放して押し釦２７と同数設けられている。ロック面６１ｃにはロック部材５１の縁５１ａが押付けられ、ロック解除凹部６４にはロック部材５１のストッパ部５１ｂが挿脱可能である。
【００５４】
操作リング６１のロック面６１ｃが収納穴３７の開放端に対向されると、この開放端を塞いだロック面６１ｃにより図２及び図４に示すようにロック部材５１が板ばね５５に抗して押下げられるので、このロック部材５１のストッパ部５１ｂが押し釦２７の係合部３０に胴２１の内部側から近接対向した状態に保持される。
【００５５】
操作リング６１のロック解除凹部６４が収納穴３７の開放端に対向されて収納穴３７に連続されると、板ばね５５の付勢力でロック部材５１が押上げられて、そのストッパ部５１ｂが図３及び図５に示すようにロック解除凹部６４に挿入されるので、ストッパ部５１ｂが押し釦２７の係合部３０の上方に外れた状態に保持される。
【００５６】
前記ロック部材５１、板ばね５５、及び操作リング６１は、係合部３０を有した押し釦２７を、その非使用時に所定位置に位置決めしてロック状態に保持するとともに、このロック状態を押し釦２７が操作される際に解除可能なロック手段をなしている。
【００５７】
又、腕時計１１は図７に示すクリックストップ機構７１を例えば一対有している。このクリックストップ機構７１は、機構部７２とストップ凹部７３とからなる。
【００５８】
図６に示すように機構部７２は、例えば、１２時−６時を通る直線上に位置して胴２１に取付けられている。これら機構部７２は、図７に示すように胴２１に埋め込まれた筒状のホルダ７２ａと、ホルダ７２ａに上下動可能でかつ上方に抜けないように支持された回転可能な鋼球７２ｂと、ホルダ７２ａに収容されて鋼球７２ｂを上向きに付勢するばね７２ｃとで形成されている。鋼球７２ｂの上部はリング配置溝２６の底面２６ａから突出されている。
【００５９】
ストップ凹部７３は図８に示すように操作リング６１の裏面をなしたロック面６１ｃに開口して操作リング６１に１８０°隔てて設けられている。これらのストップ凹部７３には鋼球７２ｂが着脱自在に係合できる。
【００６０】
前記第１の表示６２が竜頭８１に合うように操作リング６１が回転操作された状態では、鋼球７２ｂがストップ凹部７３に係合して操作リング６１が仮保持されるとともに、この仮保持状態でロック部材５１は、操作リング６１のロック面６１ｃで押し下げられてロック位置に配置されるようになっている。又、第２の表示６３が竜頭８１に合うように操作リング６１が回転操作された状態では、ストップ凹部７３が鋼球７２ｂから外れるとともに、この状態でロック部材５１は、押し上げられてロック解除凹部６４に係合しロック解除位置に配置されるようになっている。
【００６１】
前記構成を備えた腕時計１１において携帯時など押し釦２７が使用されない状態では、胴２１の内部側へ向けて押し釦２７が不用意に押し込まれることを防止するために、図２及び図４に示すようにロック部材５１はロック位置に配置されている。このロック状態は、操作リング６１を回転操作して、その表面の第１の表示６２を竜頭８１に合わせることにより得ることができる。
【００６２】
操作リング６１の回転操作によりロック部材５１がロック位置に適正に配置されると、その時点において、クリックストップ機構７１がクリックストップ動作をして操作リング６１を仮保持する。この場合、クリックストップ動作による節度の感触及びこの節度に伴い発生する音により、使用者にロック部材５１がロック位置に配置されたことを報知できる。
【００６３】
ロック状態では、操作リング６１のロック面６１ｃがロック部材５１の縁５１ａに接しているので、ロック部材５１は、板ばね５５の付勢力に抗して押下げられて、図２及び図４に示したロック位置に配置されている。
【００６４】
このロック位置に配置されたロック部材５１のストッパ部５１ｂには、胴２１の外側から押し釦２７の係合部３０が至近距離で対向している。そのため、前記ロック状態で、腕時計１１が落下した際の衝撃等により押し釦２７に誤って押し込み力が作用すると、直ちに押し釦２７の係合部３０がロック部材５１のストッパ部５１ｂに引っ掛かる。こうした係合により押し釦２７が所定位置から動かないように規制されて、押し釦２７が誤って押し込まれる誤操作が防止される。
【００６５】
この場合、ロック部材５１は、金属製でそれ自体の強度が大きく変形する恐れがないことに加えて、広い面積を有した板状であるので、ロック部材５１に対する誤った押し込み力を、広い面積で、ロック部材５１の移動をガイドする胴２１の収納穴３７の内面で支持できる。そのため、誤操作防止の信頼性が高い。
【００６６】
更に、従来技術のようにねじ山の噛み合いを要しないので、ロック部材５１がロック位置に配置されたときに、押し釦２７に外側へ向かう負荷を与えることがない。これとともに、例え操作リング６１を何回回転させても押し釦２７に対する胴外側へ向けての負荷が次第に強化されることがないので、安全である。なお、従来技術のようにねじ山の噛み合いを利用したものでは、ロック部材をロック位置に移動させる場合に、このロック部材を回転させ過ぎると、押し釦が胴外側に抜け恐れが考えられる。又、従来技術のようにねじ山の噛み合いを要しないので、加工が簡単である。即ち、ロック部材５１はプレス加工により打ち抜いて簡単に得ることが可能であるとともに、操作リング６１に対する加工も容易であるので製造性に優れている。
【００６７】
押し釦２７を操作する必要があるときは、まず、図２及び図４に示した状態から操作リング６１を１８０°回転させ、その第２の表示６３を竜頭８１に合わせることにより、ロック部材５１をロック解除位置に移動させた後に、押し釦２７を押し込み操作すればよい。
【００６８】
こうした操作リング６１の回転により、ロック面６１ｃがロック部材５１から外れるとともに操作リング６１のロック解除凹部６４がロック部材５１に対向する。そのため、ロック部材５１が、板ばね５５の付勢力によって押上げられてロック解除凹部６４に入り込んで、ロック解除位置に配置される。これに伴い、ロック部材５１のストッパ部５１ｂが押し釦２７の係合部３０に対向しないようにこの上方に外れて、押し釦２７の押し込み操作が許容された状態となる。
【００６９】
なお、この場合にも、ロック部材５１が板ばね５５の付勢力でロック解除凹部６４に入り込んで、クリックストップ機構７１と同様なクリックストップ動作を得られる。そのため、この動作による節度の感触及びこの節度に伴い発生する音で、使用者にロック部材５１がロック解除位置に配置されたことを報知できる。
【００７０】
こうしたロック解除状態でロック部材５１の通し部５２に通されている押し釦２７を軸方向に押し込むことにより、この押し釦２７を図２及び図３中実線で示した所定位置から胴２１の内部側に移動できる。それにより、押し釦２７で接点１６を押して、この接点１６に与えられた所定の機能を行わせることができる。
【００７１】
以上のように時計外装体１２に回転操作可能に取付けられた円形の操作リング６１はカムとして機能し、そのカム面（ロック面６１ｃ及びこれに連続したロック解除凹部６４）に、板ばね５５で押付けられたロック部材５１が従動される。したがって、時計外装体１２の正面側から操作リング６１を回転操作することによって、これに連動させて、板ばね５５で操作リング６１に向けて付勢されたロック部材５１をロック位置又はロック解除位置に配置できる。
【００７２】
操作リング６１は、時計外装体１２に取付けられた文字板１４を囲んでいるので、胴２１の側方から押し込み操作される押し釦２７に比較してはるかに大きい。そのため、この操作リング６１を容易に掴んで回転操作することができる。これとともに、操作リング６１は時計外装体１２の正面側から操作されるので、腕時計１１が使用者の腕に装着されていても、腕が邪魔になり難い。
【００７３】
したがって、押し釦２７が非使用時に誤って動かされないように規制する操作及びこの規制を解除する操作を容易にできる。
【００７４】
更に、第１実施形態では、ロック位置に配置されたロック部材５１を用いて押し釦２７の押し込み操作を妨げる構成であるので、ロック部材５１を連動する操作リング６１と押し釦２７とが別々の位置に配置されていて、押し釦２７が操作リング６１の回転を拘束することがない。そのため、押し釦２７の正面形状を第１実施形態で例示したように四角形にすることができる。なお、押し釦２７の正面形状は、円形であっても良いとともに、これに代えて、四角形以外の任意な非円形形状とすることが可能である。したがって、腕時計１１のデザインの自由度を高めることができる点で好ましい。
【００７５】
図９及び図１０は本発明の第２実施形態を示している。この実施形態は以下説明する事項を除いて第１実施形態と同じであるので、第１実施形態と同じ構成については同一符号を付して説明を省略する。第２実施形態は押し引き操作部材である竜頭８１を、前記ロック手段により非使用時に所定位置から動かないように規制するとともに、この規制を竜頭８１が操作される際に解除可能にした点が第１実施形態とは異なる。
【００７６】
具体的には、竜頭８１は、軸部８２とこれに例えば一体に連続した操作ヘッド８３とを有してなり、軸部８２は、これに接続された巻真８４を介して時計ムーブメント１３に接続されている。
【００７７】
操作ヘッド８３は軸部８２より大径であり、その外周に、操作ヘッド８３を回すために掴んだ使用者の指が滑り難くするための凹凸８３ａが、スプライン加工により形成されている。更に、操作ヘッド８３の外周には凹凸８３ａを横切って円環形の凹部からなる係合部８５が形成されている。以上説明した事項以外の構成は、図９及び図１０に示されない構成を含めて第１実施形態と同じである。
【００７８】
この第２実施形態の腕時計１１において、携帯時など竜頭８１が使用されない状態では、図９に示すようにロック部材５１が、胴２１の外部側方へ向けての竜頭８１の不用意な引き出しを防止するロック位置に配置されている。
【００７９】
前記ロック手段により竜頭８１がロックされた状態では、操作リング６１のロック面６１ｃがロック部材５１の縁５１ａ（図４及び図５参照）に接しているので、ロック部材５１は、板ばね５５の付勢力に抗して押下げられて、図９に示したロック位置に配置されている。このロック位置に配置されたロック部材５１のストッパ部５１ｂ（図４及び図５参照）は竜頭８１の凹部からなる係合部８５に嵌合されている。
【００８０】
そのため、前記ロック状態で、竜頭８１に誤って引き出し力が作用すると、直ちに係合部８５をなす凹部の壁面がロック部材５１のストッパ部５１ｂに胴２１の内部側から引っ掛かる。こうした係合により竜頭８１が所定位置から動かないように規制されて、竜頭８１が誤って引き出される誤操作が防止される。
【００８１】
竜頭８１を操作する必要があるときは、まず、図９に示した状態から操作リング６１を１８０°回転させ、その第２の表示６３（図１参照）を竜頭８１に合わせることにより、ロック部材５１をロック解除位置に移動させた後に、竜頭８１を引き出した上で回転操作すればよい。
【００８２】
こうした操作リング６１の回転により、ロック面６１ｃがロック部材５１から外れるとともに操作リング６１のロック解除凹部６４がロック部材５１に対向する。そのため、ロック部材５１が、板ばね５５の付勢力によって押上げられてロック解除凹部６４に入り込んで、ロック解除位置に配置される（図１０参照）。これに伴い、ロック部材５１のストッパ部５１ｂが竜頭８１の係合部８５の上方に外れて移動され、竜頭８１の引き出し操作が許容された状態となる。
【００８３】
そのため、ロック解除状態でロック部材５１の通し部５２に通されている竜頭８１を、図９及び図１０に示した所定位置から軸方向に沿って引き出すことができ、その上で竜頭８１を回転操作して、時刻合わせや日付け合わせ等をすることができる。
【００８４】
なお、その他の作用も第１実施形態と同様であるので、その説明については省略する。したがって、第２実施形態でも本発明の課題を解決できる。
【００８５】
本発明は前記各実施形態に制約されるものではなく、携帯時計の他にも、例えばストップウオッチ、携帯電話、携帯型情報端末機などの携帯機器に適用できる。
【図面の簡単な説明】
【００８６】
【図１】本発明の第１実施形態の腕時計を示す正面図。
【図２】図１の腕時計の押し釦の取付け部を押し釦がロックされた状態で示す断面図。
【図３】図１の腕時計の押し釦の取付け部を押し釦のロックが解除された状態で示す断面図。
【図４】図２中Ｆ４−Ｆ４線に沿って示す略断面図。
【図５】図３中Ｆ５−Ｆ５線に沿って示す略断面図。
【図６】図１の腕時計をその操作リングを外した状態で一部を切欠いて示す正面図。
【図７】図１の腕時計のクリックストップ機構まわりを示す断面図。
【図８】図１の腕時計が備える操作リングを示す裏面図。
【図９】本発明の第２実施形態の腕時計の竜頭取付け部を竜頭がロックされた状態で示す断面図。
【図１０】第２実施形態の腕時計の竜頭取付け部を竜頭のロックが解除された状態で示す断面図。
【符号の説明】
【００８７】
１１…腕時計（携帯時計・携帯機器）
１２…時計外装体（機器外装体）
１４…文字板（表示部）
２１…胴
２７…押し釦（押し引き操作部材）
２８…押し釦の軸部
２９…押し釦の操作ヘッド
３０…押し釦の係合部
３５…貫通孔
３５ａ…パイプ取付け孔部
３５ｂ…ヘッド挿入孔部
３７…収納穴
４１…パイプ
５１…ロック部材
５１ａ…ロック部材の縁
５１ｂ…ロック部材のストッパ部
５２…通し部
５５…板ばね（付勢部材）
６１…操作リング
６１ｃ…ロック面
６４…ロック解除凹部
７１…クリックストップ機構
８１…竜頭（押し引き操作部材）
８２…竜頭の軸部
８３…竜頭の操作ヘッド
８５…竜頭の係合部
【図１】
2010127682.tif 000003
【図２】
2010127682.tif 000004
【図３】
2010127682.tif 000005
【図４】
2010127682.tif 000006
【図５】
2010127682.tif 000007
【図６】
2010127682.tif 000008
【図７】
2010127682.tif 000009
【図８】
2010127682.tif 000010
【図９】
2010127682.tif 000011
【図１０】
2010127682.tif 000012